(57)【要約】【課題】画像入力時の読取設定および処理設定を高速且つ正確に判断することが可能な画像処理装置および方法を提供する。【解決手段】明度・彩度のヒストグラムにより原稿の下地色を判別することで、読取原稿なのか設定シートなのかを判別し、設定シート上の情報に基づいて処理設定を判定する。更に、色相・彩度のヒストグラムにより設定シートに印字されたテキストの色または設定シート上の特定範囲に塗布された色を判別し、判別した色に対応する読取原稿の処理設定を判定する。【選択図】図３
2005269538.tif 000002
【特許請求の範囲】
【請求項１】
画像入力手段の読取処理により入力した色彩情報が添付された設定シートおよび該設定シートともに入力した原稿の画像データを処理する画像処理装置において、
前記画像データから色彩情報の色彩属性を算出する色彩属性算出手段と、
前記色彩属性算出手段で算出した色彩属性のヒストグラムを作成するヒストグラム作成手段と、
前記ヒストグラム作成手段で作成したヒストグラムに基づき、前記設定シートと前記原稿とを判別する判別手段と、
前記判別手段で前記設定シートであると判別した場合、該設定シートに記載された前記画像入力手段による読取設定、および前記原稿の画像データの処理に対する処理設定を検出する読取・処理設定検出手段と、
前記読取・処理設定検出手段で検出した処理設定に従って、前記原稿の画像データを処理する画像処理手段と
を具備することを特徴とする画像処理装置。
【請求項２】
前記色彩属性算出手段は、
前記色彩属性として、前記画像データの明度および彩度を算出し、
前記ヒストグラム作成手段は、
前記色彩属性算出手段が算出した明度および彩度のヒストグラムを作成し、
前記判別手段は、
前記ヒストグラムの最頻値を抽出し、該抽出した最頻値に基づいて前記設定シートと前記原稿とを判別する
ことを特徴とする請求項１記載の画像処理装置。
【請求項３】
前記原稿の下地色が白若しくは白に近似する色であり、前記設定シートの下地色が該原稿の下地色とは異なる色である場合、
前記判別手段は、
前記ヒストグラムから抽出した最頻値が低彩度且つ高明度である場合、前記原稿と判別する
ことを特徴とする請求項１記載の画像処理装置。
【請求項４】
画像入力手段の読取処理により入力した色彩情報が添付された設定シートおよび該設定シートともに入力した原稿の画像データを処理する画像処理装置において、
前記設定シートに添付された色彩情報に対応する前記原稿の画像データの処理に対する処理設定を定義する色彩情報定義手段と、
前記画像データから色彩情報の色彩属性を算出する色彩属性算出手段と、
前記色彩属性算出手段で算出した色彩属性のヒストグラムを作成するヒストグラム作成手段と、
前記ヒストグラム作成手段で作成したヒストグラムに基づいて前記設定情報シートに添付された色彩情報を判別する色彩情報判別手段と、
前記色彩情報定義手段で定義した色彩情報に対応する処理設定に基づき、前記色彩情報判別手段で判別した色彩情報に対応する処理設定を判定する処理設定判定手段と、
前記処理設定判定手段で判定した処理設定に従って、前記原稿の画像データを処理する画像処理手段と
を具備することを特徴とする画像処理装置。
【請求項５】
前記色彩属性算出手段は、
前記色彩属性として、前記画像データの色相および彩度を算出し、
前記ヒストグラム作成手段は、
前記色彩属性算出手段が算出した色相および彩度のヒストグラムを作成し、
前記色彩情報判別手段は、
前記ヒストグラムから、前記設定シートの下地色の分布以外の範囲での最頻値を抽出し、該抽出した最頻値に基づいて前記色彩情報を判別する
ことを特徴とする請求項４記載の画像処理装置。
【請求項６】
前記色定義手段で定義する処理設定は、
前記原稿の画像データを電子メールに添付して送信する電子メール送信と、前記原稿の画像データをファイルとして外部記憶装置に格納するファイル保存と、前記原稿の画像データのＦＡＸ送信と、ネットワークに接続された印刷装置への印刷とのいずれか２つ以上であり、
前記画像処理手段は、
前記原稿の画像データに記載された電子メール送信先、ファイル保存先、ＦＡＸ送信先、ネットワークに接続された印刷装置への印刷を検出する処理設定検出手段
を具備することを特徴とする請求項４記載の画像処理装置。
【請求項７】
前記色彩情報は、
前記設定シート上のテキスト、該設定シートの下地または特定範囲に添付される
ことを特徴とする請求項４記載の画像処理装置。
【請求項８】
画像入力手段の読取処理により入力した色彩情報が添付された設定シートおよび該設定シートともに入力した原稿の画像データを処理する画像処理方法において、
前記画像データから色彩情報の色彩属性を算出し、
該算出した色彩属性のヒストグラムを作成し、
該作成したヒストグラムに基づき、前記設定シートと前記原稿とを判別し、
前記判別により前記設定シートであると判別した場合、該設定シートに記載された前記画像入力手段による読取設定、および前記原稿の画像データの処理に対する処理設定を検出し、
該検出した処理設定に従って、前記原稿の画像データを処理する
ことを特徴とする画像処理方法。
【請求項９】
前記設定シートの画像データから色彩属性として、前記画像データの明度および彩度を算出し、
該算出した明度および彩度のヒストグラムを作成し、
該作成したヒストグラムの最頻値を抽出し、
該抽出した最頻値に基づいて前記設定シートと前記原稿とを判別する
ことを特徴とする請求項８記載の画像処理方法。
【請求項１０】
前記原稿の下地色が白若しくは白に近似する色であり、前記設定シートの下地色が該原稿の下地色とは異なる色である場合、
前記ヒストグラムから抽出した最頻値が低彩度且つ高明度である場合、前記原稿と判別する
ことを特徴とする請求項８記載の画像処理方法。
【請求項１１】
画像入力手段の読取処理により入力した色彩情報が添付された設定シートおよび該設定シートともに入力した原稿の画像データを処理する画像処理方法において、
前記設定シートに添付された色彩情報に対応する前記原稿の画像データの処理に対する処理設定を定義し、
前記画像データから色彩情報の色彩属性を算出し、
該算出した色彩属性のヒストグラムを作成し、
該作成したヒストグラムに基づいて前記設定情報シートに添付された色彩情報を判別し、
前記定義した色彩情報に対応する処理設定に基づき、前記判別した色彩情報に対応する処理設定を判定し、
該判定した処理設定に従って、前記原稿の画像データを処理する
ことを特徴とする画像処理方法。
【請求項１２】
前記設定シートの画像データから色彩属性として、前記画像データの色相および彩度を算出し、
該算出した色相および彩度のヒストグラムを作成し、
該作成したヒストグラムから、前記設定シートの下地色の分布以外の範囲での最頻値を抽出し、
該抽出した最頻値に基づいて前記色彩情報を判別する
ことを特徴とする請求項１１記載の画像処理方法。
【請求項１３】
前記定義する処理設定は、
前記原稿の画像データを電子メールに添付して送信する電子メール送信と、前記原稿の画像データをファイルとして外部記憶装置に格納するファイル保存と、前記原稿の画像データのＦＡＸ送信と、ネットワークに接続された印刷装置への印刷とのいずれか２つ以上であり、
前記原稿の画像データを処理する際に、該原稿の画像データに記載された電子メール送信先、ファイル保存先、ＦＡＸ送信先、ネットワークに接続された印刷装置への印刷を検出する
ことを特徴とする請求項１１記載の画像処理方法。
【請求項１４】
前記色彩情報は、
前記設定シート上のテキスト、該設定シートの下地または特定範囲に添付される
ことを特徴とする請求項１１記載の画像処理方法。
【発明の詳細な説明】
【技術分野】
【０００１】
本発明は、画像処理装置および方法に関し、特に、画像データの処理を記載した設定シートを処理する画像処理装置および方法に関する。
【背景技術】
【０００２】
一般的な画像入力装置においては、装置の原価を低減するために、スイッチのたぐいを最小限にするよう、設計されている。しかしながら、画像入力時の各種設定（解像度・階調数・カラー／モノクロ・写真／文字など）や、入力したデータの送信先（装置に接続された外部記憶装置・印刷装置・メールアドレス・IPアドレス・ファックスの電話番号など）を指定するためのスイッチ操作は、スイッチの数が少ないほど手順が複雑になり、誤操作を招きやすい。また、アルファベットと数字などで構成されるメールアドレスなどは、数字のみで構成される電話番号などより、さらに複雑であり、誤操作も増大する可能性がある。
【０００３】
これを解決する技術として、例えば、読み取るべき原稿とは別に、画像入力時の各種設定や、入力したデータの送信先などを記載したシート（以後、「設定シート」とする）を画像入力装置に読み取らせて、この内容に従って、画像入力装置が動作する画像処理方式がある（例えば、特許文献１参照。）。
【０００４】
更に、予め画像入力装置に「設定シート」を特徴付ける画像データが格納されており、そのデータと、読み取った画像のうち特定の位置の画像データが一致するか否かを判定することによって、読み込んだシートが「設定シート」であるか否かを判別する画像入出力装置がある（例えば、特許文献２参照。）。
【特許文献１】特開平６−１６４７７７号公報
【特許文献２】特開平８−２５１３７５号公報
【発明の開示】
【発明が解決しようとする課題】
【０００５】
しかし、特許文献１に記載された技術では、画像入力装置の機能が多い場合には、「設定シート」の面積が多くなり、場合によっては複数ページを必要とし、「設定シート」の面積が多い場合は読み取り時間が長くなり、画像処理の時間を短縮することが困難であるという問題がある。また、「設定シート」が複数にわたる場合、使用者は「設定シート」を入れ替えて順次画像入力装置に読み込ませたり、自動原稿給紙装置を増設してよみとらせる必要があり、使用者は煩雑な作業を実施しなければならないという問題がある。
【０００６】
また、特許文献２に記載された技術では、パターンマッチングという方法を採っているため、「設定シート」であるか否かの判定が難しいことや、パターンを記憶させておくためのメモリ容量が多く必要であるという問題がある。
【０００７】
そこで、本発明は、上記の問題を解決するとともに、画像入力時の設定を高速に判断することが可能な画像処理装置および方法を提供することを目的とする。
【課題を解決するための手段】
【０００８】
上記目的を達成するため、請求項１の発明は、画像入力手段の読取処理により入力した色彩情報が添付された設定シートおよび該設定シートともに入力した原稿の画像データを処理する画像処理装置において、前記画像データから色彩情報の色彩属性を算出する色彩属性算出手段と、前記色彩属性算出手段で算出した色彩属性のヒストグラムを作成するヒストグラム作成手段と、前記ヒストグラム作成手段で作成したヒストグラムに基づき、前記設定シートと前記原稿とを判別する判別手段と、前記判別手段で前記設定シートであると判別した場合、該設定シートに記載された前記画像入力手段による読取設定、および前記原稿の画像データの処理に対する処理設定を検出する読取・処理設定検出手段と、前記読取・処理設定検出手段で検出した処理設定に従って、前記原稿の画像データを処理する画像処理手段とを具備することを特徴とする。
【０００９】
また、請求項２の発明は、請求項１の発明において、前記色彩属性算出手段は、前記色彩属性として、前記画像データの明度および彩度を算出し、前記ヒストグラム作成手段は、前記色彩属性算出手段が算出した明度および彩度のヒストグラムを作成し、前記判別手段は、前記ヒストグラムの最頻値を抽出し、該抽出した最頻値に基づいて前記設定シートと前記原稿とを判別することを特徴とする。
【００１０】
また、請求項３の発明は、請求項１の発明において、前記原稿の下地色が白若しくは白に近似する色であり、前記設定シートの下地色が該原稿の下地色とは異なる色である場合、前記判別手段は、前記ヒストグラムから抽出した最頻値が低彩度且つ高明度である場合、前記原稿と判別することを特徴とする。
【００１１】
また、請求項４の発明は、画像入力手段の読取処理により入力した色彩情報が添付された設定シートおよび該設定シートともに入力した原稿の画像データを処理する画像処理装置において、前記設定シートに添付された色彩情報に対応する前記原稿の画像データの処理に対する処理設定を定義する色彩情報定義手段と、前記画像データから色彩情報の色彩属性を算出する色彩属性算出手段と、前記色彩属性算出手段で算出した色彩属性のヒストグラムを作成するヒストグラム作成手段と、前記ヒストグラム作成手段で作成したヒストグラムに基づいて前記設定情報シートに添付された色彩情報を判別する色彩情報判別手段と、前記色彩情報定義手段で定義した色彩情報に対応する処理設定に基づき、前記色彩情報判別手段で判別した色彩情報に対応する処理設定を判定する処理設定判定手段と、前記処理設定判定手段で判定した処理設定に従って、前記原稿の画像データを処理する画像処理手段とを具備することを特徴とする。
【００１２】
また、請求項５の発明は、請求項４の発明において、前記色彩属性算出手段は、前記色彩属性として、前記画像データの色相および彩度を算出し、前記ヒストグラム作成手段は、前記色彩属性算出手段が算出した色相および彩度のヒストグラムを作成し、前記色彩情報判別手段は、前記ヒストグラムから、前記設定シートの下地色の分布以外の範囲での最頻値を抽出し、該抽出した最頻値に基づいて前記色彩情報を判別することを特徴とする。
【００１３】
また、請求項６の発明は、請求項４の発明において、前記色定義手段で定義する処理設定は、前記原稿の画像データを電子メールに添付して送信する電子メール送信と、前記原稿の画像データをファイルとして外部記憶装置に格納するファイル保存と、前記原稿の画像データのＦＡＸ送信と、ネットワークに接続された印刷装置への印刷とのいずれか２つ以上であり、前記画像処理手段は、前記原稿の画像データに記載された電子メール送信先、ファイル保存先、ＦＡＸ送信先、ネットワークに接続された印刷装置への印刷を検出する処理設定検出手段を具備することを特徴とする。
【００１４】
また、請求項７の発明は、請求項４の発明において、前記色彩情報は、前記設定シート上のテキスト、該設定シートの下地または特定範囲に添付されることを特徴とする。
【００１５】
また、請求項８の発明は、画像入力手段の読取処理により入力した色彩情報が添付された設定シートおよび該設定シートともに入力した原稿の画像データを処理する画像処理方法において、前記画像データから色彩情報の色彩属性を算出し、該算出した色彩属性のヒストグラムを作成し、該作成したヒストグラムに基づき、前記設定シートと前記原稿とを判別し、前記判別により前記設定シートであると判別した場合、該設定シートに記載された前記画像入力手段による読取設定、および前記原稿の画像データの処理に対する処理設定を検出し、該検出した処理設定に従って、前記原稿の画像データを処理することを特徴とする。
【００１６】
また、請求項９の発明は、請求項８の発明において、前記設定シートの画像データから色彩属性として、前記画像データの明度および彩度を算出し、該算出した明度および彩度のヒストグラムを作成し、該作成したヒストグラムの最頻値を抽出し、該抽出した最頻値に基づいて前記設定シートと前記原稿とを判別することを特徴とする。
【００１７】
また、請求項１０の発明は、請求項８の発明において、前記原稿の下地色が白若しくは白に近似する色であり、前記設定シートの下地色が該原稿の下地色とは異なる色である場合、前記ヒストグラムから抽出した最頻値が低彩度且つ高明度である場合、前記原稿と判別することを特徴とする。
【００１８】
また、請求項１１の発明は、画像入力手段の読取処理により入力した色彩情報が添付された設定シートおよび該設定シートともに入力した原稿の画像データを処理する画像処理方法において、前記設定シートに添付された色彩情報に対応する前記原稿の画像データの処理に対する処理設定を定義し、前記画像データから色彩情報の色彩属性を算出し、該算出した色彩属性のヒストグラムを作成し、該作成したヒストグラムに基づいて前記設定情報シートに添付された色彩情報を判別し、前記定義した色彩情報に対応する処理設定に基づき、前記判別した色彩情報に対応する処理設定を判定し、該判定した処理設定に従って、前記原稿の画像データを処理することを特徴とする。
【００１９】
また、請求項１２の発明は、請求項１１の発明において、前記設定シートの画像データから色彩属性として、前記画像データの色相および彩度を算出し、該算出した色相および彩度のヒストグラムを作成し、該作成したヒストグラムから、前記設定シートの下地色の分布以外の範囲での最頻値を抽出し、該抽出した最頻値に基づいて前記色彩情報を判別することを特徴とする。
【００２０】
また、請求項１３の発明は、請求項１１の発明において、前記定義する処理設定は、前記原稿の画像データを電子メールに添付して送信する電子メール送信と、前記原稿の画像データをファイルとして外部記憶装置に格納するファイル保存と、前記原稿の画像データのＦＡＸ送信と、ネットワークに接続された印刷装置への印刷とのいずれか２つ以上であり、前記原稿の画像データを処理する際に、該原稿の画像データに記載された電子メール送信先、ファイル保存先、ＦＡＸ送信先、ネットワークに接続された印刷装置への印刷を検出することを特徴とする。
【００２１】
また、請求項１４の発明は、請求項１１の発明において、前記色彩情報は、前記設定シート上のテキスト、該設定シートの下地または特定範囲に添付されることを特徴とする。
【発明の効果】
【００２２】
本発明によれば、設定シートの用紙色若しくはカラーマーキングによって判別することで、従来のパターンマッチングの方式に比べ、使用するメモリが少なくて済み、また、判別精度も高くすることが可能になるという効果を奏する。
【００２３】
本発明によれば、処理設定等の条件を記載した文字またはマーカーの色によって判別できるので、読み取るべき面積が少なくて済み、高速に処理設定等を判断することが可能になり、また、設定内容が多岐にわたる場合、従来複数頁の設定シートが必要であったが、ページ数を削減することが可能になり、また、副次的効果として、ユーザが意図的に文字色を選択して記述するため、記述ミスを防止することが可能になるという効果を奏する。
【発明を実施するための最良の形態】
【００２４】
以下、本発明の実施の形態について添付図面を参照して詳細に説明する。
【００２５】
図１は、本発明の実施の形態で用いる画像処理システム１の全体構成の一例を示すブロック図である。
【００２６】
図１に示すように、画像処理システム１は、画像入力装置２と接続する画像処理装置３がネットワーク４を介してファイルサーバ５とＰＣ（Personal Computer）６とプリンタ４３と接続し、ＰＳＴＮ（公衆交換電話網）７を介してＦＡＸ８と接続する構成である。なお、画像入力装置２と画像処理装置３とがネットワークを介して接続する構成でも適用可能である。
【００２７】
図１に示すように、一般的な原稿自動給紙装置（以後、ＡＤＦスタッカとする）９に設定シート１０と読取原稿１１とが載置されている。
【００２８】
ここで、読み取り命令を受け付けると、読取ユニット１２はシェーディング補正用板１３に光軸１４が当たるように図１の左方向に移動するとともに、光源１５が点灯する。光源１５に照射されたシェーディング補正用板１３から発せられた光軸はミラー１６の感度差等によって一定にはならない。そこで、この時に読み取ったデータを一定とみなすことにし、このデータを読取処理部１７が有するシェーディング補正用テーブルに格納する。
【００２９】
次に、読取ユニット１２は図１に示す位置に戻り、ＡＤＦスタッカ９に載置された設定シート１０と読取原稿１１とは１枚だけピックローラ１８によって給紙され、フィードローラ１９を通って、プラテンローラ２０を通過し、光源１５に照射された設定シート１０若しくは読取原稿１１から発せられた光軸１４はミラー１６によって直角に曲げられ、レンズ２１によって集光され、ＣＣＤ(Charge Coupled Devices)２２に結像される。
【００３０】
ＣＣＤ２２に結像された光は電気信号として読取処理部１７に渡され、読取処理部１７はＣＣＤ２２からの電気信号を画像データに変換し、変換した画像データをＩ／Ｆ２３を介して画像処理装置３に送信する。
【００３１】
次に、読取処理部１７について詳細に説明する。
【００３２】
図２は、読取処理部１７の構成を示す図である。
【００３３】
図２に示すように、ＣＣＤ２２からの各ＲＧＢの電気信号は増幅器２４によって増幅され、Ａ／Ｄ変換器２５によってデジタルデータに変換され、当該デジタルデータおよびシェーディング補正用テーブル２６に格納しているデータは読取設定記憶部２７に記憶されている読取設定に基づいてＣＰＵ（Central Processing Unit）２８で演算されることで画像データに変換され、当該画像データを画像データ格納部２９に格納し、画像データ送信部３０は画像データ格納部２９に格納した画像データをＩ／Ｆ２３を介して画像処理装置３に送信する。
【００３４】
次に、本発明の第１の実施の形態の画像処理装置３について詳細に説明する。
【００３５】
図３は、本発明の第１の実施の形態の画像処理装置３の機能的な構成を示すブロック図である。
【００３６】
図３に示すように、画像処理装置３は、画像データ受信部３１、画像データ記憶部３２、明度・彩度算出部３３、ヒストグラム作成部３４、設定シート判別部３５、画像データ処理部３６から構成されている。
【００３７】
画像データ受信部３１は、画像入力装置２からの画像データを受信する処理を行う。
【００３８】
画像データ記憶部３２は、画像データ受信部３１が受信した画像データを一時記憶保持する。
【００３９】
明度・彩度算出部３３は、１枚分の画像データの前面若しくは特定範囲における明度および彩度を算出する。
【００４０】
ヒストグラム作成部３４は、明度・彩度算出部３３で算出した明度および彩度の２次元のヒストグラムを作成する。
【００４１】
設定シート判別部３５は、ヒストグラム作成部３４で作成したヒストグラムに基づき、一般的な読取原稿の下地色である白若しくはそれに近似した色であるか否かを判定して設定シートを判別する処理を行う。
【００４２】
画像データ処理部３６は、画像データ記憶部３２に記憶保持している読取原稿の画像データの処理を行う。例えば、処理としては、画像データをファイルとしてネットワークを介してファイルサーバ５に格納する処理、画像データを添付ファイルとして添付した電子メールをネットワークを介してＰＣ６に送信する処理、または画像データをＰＳＴＮを介してＦＡＸ８に送信する処理、画像データをプリンタ４３に印刷する処理等がある。
【００４３】
なお、画像データ処理部３６は、設定シート判別部３５で設定シートと判別した画像データ上の情報（例えば、マーク、バーコード、テキスト等）を解析して、読取設定（画像入力装置の読取処理に関する設定）および処理設定（今後の画像データの処理に関する設定）を検出する機能である読取・処理設定検出手段３７を有する。ここで、画像データ処理部３６は読取・処理設定検出手段３７で検出した読取設定を画像入力装置２に送信する。
【００４４】
次に、画像入力装置から画像データを受信した際に、本発明の第１の実施の形態の画像処理装置が行う画像処理手順について図４に示すフローチャートを参照して説明する。
【００４５】
画像データを受信し（ステップＳ４０１）、「Ｎ＝０」にセットし（ステップＳ４０２）、「Ｎ＝Ｎ＋１」にセットし（ステップＳ４０３）、Ｎ枚目の画像データを読み出し（ステップＳ４０４）、Ｎ枚目の画像データの明度および彩度を算出し（ステップＳ４０５）、算出した明度・彩度のヒストグラムを作成し（ステップＳ４０６）、作成したヒストグラムに基づいて下地色を判定する（ステップＳ４０７）。
【００４６】
下地色の判定により設定シートであると判別した場合（ステップＳ４０８でＹＥＳ）、画像データ上の情報から読取設定と処理設定とを検出し（ステップＳ４０９）、検出した読取設定を画像入力装置に送信する（ステップＳ４１０）。
【００４７】
下地色の判定により読取原稿であると判別した場合（ステップＳ４０８でＮＯ）ステップＳ４１１に進む。
【００４８】
画像データが有る場合（ステップＳ４１１でＹＥＳ）、ステップＳ４０３に戻る。
【００４９】
画像データが無い場合（ステップＳ４１１でＮＯ）、処理データに基づいて画像データを処理し（ステップＳ４１２）、画像処理手順を終了する。
【００５０】
次に、明度・彩度のヒストグラムについて詳細に説明する。
【００５１】
図５は、明度・彩度のヒストグラムの一例を示す図である。
【００５２】
設定シート判別部はヒストグラムから最頻値を抽出し、抽出した最頻値が一般的な原稿の下地色である白若しくは白に近似した色であるか否かを判定する。具体的には、読取原稿の下地色が白若しくは白に近似した色であれば、低彩度且つ高明度の色となる。従って、ＪＩＳ（日本工業規格）のＪＩＳ  Ｚ８７２１「３属性による色の表示方法」に規定されている色の表示方法によって色を表示した場合に、最頻値が「彩度＜２」且つ「明度＞７」の値をとれば下地色を白若しくは白に近似した色とみなして良い。
【００５３】
例えば、図５（ａ）に示す明度・彩度のヒストグラムのような分布の場合、最頻値は「彩度＜２」且つ「明度＞７」の値なので、この画像データは読取原稿であると判別し、また、図５（ｂ）に示す明度・彩度のヒストグラムのような分布の場合、最頻値は「彩度＜２」且つ「明度＞７」の値ではないので、この画像データは設定シートであると判別する。
【００５４】
図６は、設定シートの具体例を示す図である。
【００５５】
図６（ａ）は、読取設定が「３００ｄｐｉ、モノクロ、１６階調」、処理設定が「電子メール送信、送信先がａａａ＠ｂｂｂ．ｃｃｃ．ｃｏ．ｊｐ」を示す設定シートである。
【００５６】
図６（ｂ）は、読取設定が「３００ｄｐｉ、モノクロ、１６階調」、処理設定が「ファイル保存、保存先が１２３．２２２．２１１．０／ａａａ／」を示す設定シートである。
【００５７】
図６（ｃ）は、読取設定が「３００ｄｐｉ、モノクロ、１６階調」、処理設定が「ＦＡＸ送信、ＦＡＸ送信先が０１２−３４５６−７８９０」を示す設定シートである。
【００５８】
なお、ネットワーク上のプリンタに印刷する際には、プリンタのアドレスを設定シートに印字すれば良い。
【００５９】
また、上記第１の実施の形態では、読取原稿の下地色を白若しくは白の近似色とし、設定シートを白以外の色としたが、原稿の色が特定の色としても良い。その場合、明度および彩度を算出する際に色相を算出し、算出した色相のヒストグラムを作成し、作成した色相のヒストグラムの最頻値に基づいて下地色を判定する構成でも適用可能である。この場合、設定シートの下地色を予め設定する構成でも良いし、使用者が独自の下地色の設定シートを画像入力装置に入力し、それを設定シートであると指定する構成でも良い。
【００６０】
また、上記第１の実施の形態において、彩度および明度を算出する構成について説明してきたが、白若しくは白に近似する色以外の下地色を設定シートとして認識することを条件に、Ｒ（Ｒｅｄ）とＢ（Ｂｌｕｅ）との差分の絶対値、ＢとＧ（Ｇｒｅｅｎ）との差分の絶対値、ＧとＲとの絶対値の３値が一定値以下であり、且つＲとＢとＧとの合計値が一定値以上であれば、設定シートであると判別する構成でも適用可能である。
【００６１】
また、設定シートを読取原稿とは異なる下地色としたが、設定シートの一部に着色を行い、これを読み取って下地色と読み替えて、処理を行う構成でも適用可能であ、当該着色が２色以上である構成でも適用可能であり、この場合、設定シートの判別の制度が高まる。
【００６２】
次に、本発明の第２の実施の形態の画像処理装置について詳細に説明する。
【００６３】
図７は、本発明の第２の実施の形態の画像処理装置３の機能的な構成を示すブロック図である。
【００６４】
図７に示すように、画像処理装置３は、画像データ受信部３１、画像データ記憶部３２、色相・彩度算出部３８、ヒストグラム作成部３４、色判別部３９、色定義部４０、設定シート判別部４１、画像データ処理部３６から構成されている。
【００６５】
画像データ受信部３１は、画像入力装置２からの画像データを受信する処理を行う。
【００６６】
画像データ記憶部３２は、画像データ受信部３１が受信した画像データを一時記憶保持する。
【００６７】
色相・彩度算出部３８は、設定シートの画像データにおける色の３属性（Ｒ、Ｇ、Ｂ）の色相および彩度を算出する。
【００６８】
ヒストグラム作成部３４は、色相・彩度算出部３８で算出した色相および彩度の２次元のヒストグラムを作成する。
【００６９】
色判別部３９は、ヒストグラム作成部３４で作成したヒストグラムに基づき、設定シート上の文字の色を判別する処理を行う。
【００７０】
色定義部４０は、各処理設定に対応する設定シート上の文字（または、下地色、特定範囲）の色の定義を行う。例えば、文字が赤の場合は画像データを添付ファイルとして添付した電子メールをネットワークを介してＰＣ６に送信する処理、文字が緑の場合は画像データをファイルとしてネットワークを介してファイルサーバ５に格納する処理、文字が青の場合は画像データをＰＳＴＮを介してＦＡＸ８に送信する処理と定義する。
【００７１】
処理設定判定部４１は、色判別部３９が判別した設定シート上の文字の色に対応する処理設定を判定する処理を行う。
【００７２】
画像データ処理部３６は、画像データ記憶部３２に記憶保持している読取原稿の画像データの処理を行う。
【００７３】
なお、画像データ処理部３６は、設定シートの画像データ上の情報（例えば、マーク、バーコード、テキスト等）を解析して、処理設定判定部４１で判定した処理設定に関する情報（例えば、電子メール送信の場合は送信先の情報、ファイル保存の場合は保存先の情報、ＦＡＸ送信の場合はＦＡＸ送信先の情報、印刷の場合はプリンタのアドレスの情報）を検出する機能である処理設定検出手段４２を有する。
【００７４】
次に、画像入力装置から画像データを受信した際に、本発明の第２の実施の形態の画像処理装置が行う画像処理手順について図８に示すフローチャートを参照して説明する。
【００７５】
画像データを受信し（ステップＳ８０１）、設定シートの画像データを読み出し（ステップＳ８０２）、設定シートの画像データの色相および彩度を算出し（ステップＳ８０３）、算出した色相・彩度のヒストグラムを作成し（ステップＳ８０４）、作成したヒストグラムに基づいて設定シート上の文字の色を判別し（ステップＳ８０５）、判別した色に対応する処理設定を判定し（ステップＳ８０６）、設定シートの画像データから処理設定に関する情報を検出し（ステップＳ８０７）、処理設定に基づいて画像データを処理し（ステップＳ８０８）、画像処理手順を終了する。
【００７６】
次に、色相・彩度のヒストグラムについて詳細に説明する。
【００７７】
図９は、色相・彩度のヒストグラムの一例を示す図である。
【００７８】
色判別部はヒストグラムから、下地色とは異なる最頻値を抽出する。具体的には、下地色を一般的な白若しくは白に近似する色とすると、下地色は低彩度且つ高明度の色となり、この下地色を示す値とは異なる最頻値を抽出する。従って、ＪＩＳ（日本工業規格）のＪＩＳ  Ｚ８７２１「３属性による色の表示方法」に規定されている色の表示方法によって色を表示した場合に、「彩度＞５」の値をとる最頻値が設定シート状の文字の色を示すことになる。
【００７９】
例えば、図９に示す色相・彩度のヒストグラムのような分布の場合、抽出する「彩度＞５」の最頻値により、設定シート状の文字の色は赤であると判別できる。
【００８０】
図１０は、設定シートの具体例を示す図である。
【００８１】
図１０（ａ）は、設定シート上の文字（電子メールアドレス）の色が赤なので、処理設定が「電子メールの送信」、送信先が「ａａａ＠ｂｂｂ．ｃｃｃ．ｃｏ．ｊｐ」を示す設定シートである。
【００８２】
図１０（ｂ）は、設定シート上の文字（ＵＲＬ）の色が緑なので、処理設定が「ファイル保存」、保存先が「１２３．２２２．２１１．０／ａａａ／」を示す設定シートである。
【００８３】
図１０（ｃ）は、設定シート上の文字（ＦＡＸ番号）の色が青なので、処理設定が「ＦＡＸ送信」、ＦＡＸ送信先が「０１２−３４５６−７８９０」を示す設定シートである。
【００８４】
なお、図１０（ｄ）〜（ｆ）で示すように、設定シート上の特定範囲に色を塗布することで、処理設定を指定する構成も適用可能である。
【００８５】
なお、ネットワーク上のプリンタに印刷する際には、プリンタのアドレスを示す文字に着色する構成、プリンタのアドレスを印字した設定シート上の特定範囲に色を塗布する構成を用いれば良い。
【００８６】
また、上記第２の実施の形態では、処理設定に対応する色として、赤、青、緑といった、彩度が高い色を設定したが、処理設定に対応する色として、黒を用いても良い。その場合、色彩および彩度を算出する際に明度を算出し、算出した色相のヒストグラムを作成し、作成した明度のヒストグラムの最頻値を抽出し、抽出した最頻値が特定の値の範囲であるか否か判断する。この場合、処理設定に対応する色を予め設定する構成でも良い。
【００８７】
また、記入結果の組み合わせによって、選択を禁止する組み合わせを判別する構成も適用可能であり、選択可能な範囲から文字認識の候補を限定することで、文字認識制度を向上させる構成でも適用可能である。
【００８８】
また、本発明に係る画像処理装置が画像入力装置を包含するものであっても良い。
【図面の簡単な説明】
【００８９】
【図１】本発明の実施の形態で用いる画像処理システム１の全体構成の一例を示すブロック図である。
【図２】読取処理部１７の構成を示す図である。
【図３】本発明の第１の実施の形態の画像処理装置３の機能的な構成を示すブロック図である。
【図４】画像入力装置から画像データを受信した際に、本発明の第１の実施の形態の画像処理装置が行う画像処理手順を示すフローチャートである。
【図５】明度・彩度のヒストグラムの一例を示す図である。
【図６】設定シートの具体例を示す図である。
【図７】本発明の第２の実施の形態の画像処理装置３の機能的な構成を示すブロック図である。
【図８】画像入力装置から画像データを受信した際に、本発明の第２の実施の形態の画像処理装置が行う画像処理手順を示すフローチャートである。
【図９】色相・彩度のヒストグラムの一例を示す図である。
【図１０】設定シートの具体例を示す図である。
【符号の説明】
【００９０】
１    画像処理システム
２    画像入力装置
３    画像処理装置
４    ネットワーク
５    ファイルサーバ
６    ＰＣ
７    ＰＳＴＮ
８    ＦＡＸ
９    ＡＤＦスタッカ
１０    設定シート
１１    読取原稿
１２    読取ユニット
１３    シェーディング補正用板
１４    光軸
１５    光源
１６    ミラー
１７    読取処理部
１８    ピックローラ
１９    フィードローラ
２０    プラテンローラ
２１    レンズ
２２    ＣＣＤ
２３    Ｉ／Ｆ
２４    増幅器
２５    Ａ／Ｄ変換器
２６    シェーディング補正用テーブル
２７    読取設定記憶部
２８    ＣＰＵ
２９    画像データ格納部
３０    画像データ送信部
３１    画像データ受信部
３２    画像データ記憶部
３３    明度・彩度算出部
３４    ヒストグラム作成部
３５    設定シート判別部
３６    画像データ処理部
３７    読取・処理設定検出手段
３８    色相・彩度算出部
３９    色判別部
４０    色定義部
４１    処理設定判定部
４２    処理設定検出手段
４３    プリンタ
【図１】
2005269538.tif 000003
【図２】
2005269538.tif 000004
【図３】
2005269538.tif 000005
【図４】
2005269538.tif 000006
【図６】
2005269538.tif 000007
【図７】
2005269538.tif 000008
【図８】
2005269538.tif 000009
【図１０】
2005269538.tif 000010
【図５】
2005269538.tif 000011
【図９】
2005269538.tif 000012